(57)【要約】【課題】体調の異変を簡便に診断することができる体調の診断方法及び診断用データの収集のための元素の検出方法を提供すること。【解決手段】毛髪又は体毛の毛根に含有されている元素を検出することを特徴とする、体調の診断方法、同一個体から定期的に採取した毛髪又は体毛の毛根に含有されている元素を検出し、それらの含有比率の変化を指標とすることを特徴とする、体調の診断方法、並びに毛髪又は体毛の毛根を蛍光Ｘ線分析に供して毛根中の元素を検出することを特徴とする、診断用データの収集のための元素の検出方法。【選択図】　なし【特許請求の範囲】
【請求項１】
毛髪又は体毛の毛根に含有されている元素を検出することを特徴とする、体調の診断方法。
【請求項２】
検出した毛根中のカルシウムの含有比率が、健常人の含有比率と比較して高い場合、異常と診断する、請求項１記載の診断方法。
【請求項３】
同一個体から定期的に採取した毛髪又は体毛の毛根に含有されている元素を検出し、それらの含有比率の変化を指標とすることを特徴とする、体調の診断方法。
【請求項４】
毛根中のカルシウムの含有比率を定期的に追跡し、含有比率が増加した場合、異常と診断する、請求項３記載の診断方法。
【請求項５】
毛髪又は体毛の毛根を蛍光Ｘ線分析に供して毛根中の元素を検出することを特徴とする、診断用データの収集のための元素の検出方法。
【請求項６】
毛根中のカルシウムを検出する請求項５記載の検出方法。
【発明の詳細な説明】
【０００１】
【発明の属する技術分野】
本発明は、骨粗鬆症、動脈硬化、糖尿病、大腸ガン・肝臓ガン・前立腺ガン等の悪性腫瘍、痴呆症等の生活習慣病の幅広い病気の予防や早期発見に有用な、体調の診断方法及び診断用データの収集のための元素の検出方法に関する。
【０００２】
【従来の技術】
カルシウムは細胞内の情報伝達物質であり、血液中のカルシウム濃度は厳密に一定に保たれている。このため、血液中のカルシウム濃度が低下すると、副甲状腺ホルモン（ＰＴＨ）が放出され、カルシウムの巨大な貯蔵庫である骨が血液中に溶けだし、血液中のカルシウム濃度を一定に保つ。
【０００３】
一方、細胞内のカルシウム濃度はきわめて低く、血液中のカルシウム濃度の約１００００分の１である。それゆえ、細胞内の情報伝達物質であるカルシウムに対して、細胞は迅速に反応して正常に機能する。しかしながら、血液中のカルシウム濃度の低下により、骨からカルシウムが溶けだすと同時に細胞内のカルシウム濃度は高くなり、カルシウムによる情報伝達が低下し、細胞の機能が低下する。
【０００４】
このように、カルシウムが不足しているにもかかわらず、細胞内のカルシウム濃度が上昇するという、通常考えがたい矛盾した現象を、一般に「カルシウムパラドックス」という。カルシウムの不足は、骨粗鬆症だけでなく、免疫疾患、糖尿病、大腸ガン、動脈硬化等の様々な生活習慣病を引き起こす。さらに、ストレスによって、腸からのカルシウムの吸収が低下し、尿中にカルシウムが排出される可能性も示されている。また、悪性の腫瘍はＰＴＨと類似した物質ＰＴＨｒＰ（ＰＴＨ−ｒｅｌａｔｅｄ　Ｐｒｏｔｅｉｎ　）を放出し、細胞中のカルシウム量を増大させるだけでなく、血液中のカルシウム濃度が高くなる高カルシウム血症を発病させる。それゆえ、カルシウムパラドックスを検出することができれば、自覚症状のでにくい体調の異変やガン等の病気の予兆を知ることができる。
【０００５】
牛乳等のカルシウムを含む食品を摂取していても、運動不足やビタミンＤの不足によりかならずしもカルシウムが体内に取り込まれるとは限らないので、カルシウムパラドックスの検出は重要である。しかし、これまでカルシウムの変調を検出する簡便な方法は報告されていない。カルシウムの検出方法としては、例えば、Ｃａ蛍光色素によるカルシウム画像法が知られているが、細胞を採取して細胞内部を顕微鏡で見なければならない。また、カルシウム不足により放出される副甲状腺ホルモン（ＰＴＨ）の検出には採血が必要であり、病院や保健所に行かねばならない。通常の血液検査ではＰＴＨは検査項目に含まれておらず、検査のコストもかかる。
【０００６】
【発明が解決しようとする課題】
本発明は、体調の異変を簡便に診断することができる体調の診断方法及び診断用データの収集のための元素の検出方法を提供することを目的とする。
【０００７】
【課題を解決するための手段】
本発明は、
（１）　毛髪又は体毛の毛根に含有されている元素を検出することを特徴とする、体調の診断方法、
（２）　同一個体から定期的に採取した毛髪又は体毛の毛根に含有されている元素を検出し、それらの含有比率の変化を指標とすることを特徴とする、体調の診断方法、並びに
（３）　毛髪又は体毛の毛根を蛍光Ｘ線分析に供して毛根中の元素を検出することを特徴とする、診断用データの収集のための元素の検出方法
に関する。
【０００８】
【発明の実施の形態】
本発明においては、毛髪又は体毛の毛根に含有されている元素を検出することにより、体調を診断することができる。
【０００９】
本発明において分析対象とする毛根としては、例えば、カルシウムを検出対象の元素とする場合、細胞の増殖、分化にはカルシウムが関与するので、常に成長している部位の毛根が好ましい。例えば、通常３日で１ｍｍ程度伸びる毛髪は、カルシウム濃度の変化を容易に追跡することができるので、好適に使用できる。なお、毛根を分析対象とすることにより、空気中から毛髪に侵入する元素による汚染を避けることができる。
【００１０】
毛髪又は体毛の毛根中の元素の検出方法としては、Ｘ線励起蛍光Ｘ線分析、電子線励起蛍光Ｘ線分析、イオン線励起蛍光Ｘ線分析、放射化分析、イオンマイクロアナライザー、原子吸光分析等が挙げられるが、本発明においては、毛髪又は体毛の毛根を蛍光Ｘ線分析に供して毛根中の元素を検出するのが好ましい。蛍光Ｘ線分析は、対比すべき試料をできるだけ同一条件で分析することが好ましい以外は、特に限定されず、常法に従って行うことができる。例えば、採取した毛髪又は体毛は、予め毛根部に付着した血液等を除去するために水洗し、濾紙等で水分を拭き取って分析試料として用いるのが好ましく、Ｘ線に対する透過性が良好なマイラ膜を張った２枚の枠の間に分析試料をはさんで、蛍光Ｘ線を励起するビームを毛根に照射し、半導体検出器により蛍光Ｘ線のエネルギー（波長）と強さを測定することができる。半導体検出器からは、元素固有の蛍光Ｘ線の光子エネルギーに応じて高さの異なるパルスが出力されるため、それを多チャンネル波高分析器で弁別して蓄積し、蓄積量をその元素の蛍光Ｘ線の光子エネルギーの位置に出力することで、図１に示すようなピークとして得られる。このピークの高さ（厳密には積分値）は存在する元素の量（原子数）に比例する。蛍光Ｘ線分析に用いられる器機としては、例えば、Ｘ線を毛根１本の面積にまで集束できる放射光Ｘ線源（例えば、ＳＰｒｉｎｇ−８）が好ましく、発生した蛍光Ｘ線の検出には、例えば、アンプテック（Ａｍｐｔｅｋ）社製の半導体検出器「ＸＲ−１００ＣＲ」等が使用できる。
【００１１】
本発明において検出対象とする元素は、カルシウム、亜鉛、銅、臭素、ストロンチウム、さらに砒素等の有毒元素等が挙げられ、特に限定されないが、骨粗鬆症、動脈硬化、糖尿病、大腸ガン等の悪性腫瘍、痴呆症等の生活習慣病の幅広い病気と密接に関係しているカルシウムが好ましい。
【００１２】
本発明の診断方法においては、検出した毛根中の元素の含有比率が、健常人の含有比率と比較して高いか低いかによって診断することができる。例えば、毛根中のカルシウムの含有比率が、健常人の含有比率と比較して著しく高い場合には異常、同等または低い場合には正常と診断することができる。健常人の含有比率は、多くの健常人について予め測定して得られた平均値を利用すればよい。
【００１３】
本発明の他の態様として、各元素の含有量及び含有比率は個人差があるので、同一個体から定期的に採取した毛髪又は体毛の毛根に含有されている元素を検出し、それらの含有比率の変化を指標として体調を診断することが望ましい。例えば、毛根中のカルシウムの含有比率を定期的に追跡し、含有比率が増加した場合には異常、含有比率が変動しないまたは低下していく場合には正常と診断することができる。ここで、定期的とは、例えば、２ヶ月から半年程度の間隔でよい。
【００１４】
本発明の診断方法についてより具体的に説明する。例えば、蛍光Ｘ線分析により毛髪を分析する場合、カルシウム（Ｃａ）、鉄（Ｆｅ）、銅（Ｃｕ）、亜鉛（Ｚｎ）、鉛（Ｐｂ）、臭素（Ｂｒ）、ストロンチウム（Ｓｒ）等の元素の含有比率を測定する。含有比率は、これらの元素の中から任意の元素を標準とし、該標準元素に対する比率として算出することができる。標準元素としては特に限定されないが、好ましくはＦｅが挙げられる。Ｆｅは血液中のＦｅを有するヘモグロビンとバランスしていると考えられるので、Ｆｅのピークを標準として、その他の元素の含有比率を求めるのがよい。本発明における一の態様では、得られた含有比率を健常人の含有比率と比較して高いか低いかによって診断することができる。しかし、個人差があるため、より正確な診断を行うには、本発明の他の態様として、同一個体から定期的に採取した毛髪又は体毛の毛根に含有されている元素を検出し、それらの含有比率の変化を指標として診断するのが好ましい。例えば、被検者は２ヶ月から半年の間隔で毛髪一本を採取して測定し、毛根中のＣａ／Ｆｅなど診断対象である元素の含有比率の変化を監視することが好ましい。その結果、例えば、Ｃａ／Ｆｅの比率が増大すれば、カルシウムパラドックスが起こっている可能性が高く、被検者は精密検査を受けることが好ましい。逆に、Ｃａ／Ｆｅの比率が変動しないまたは減少する場合は正常である。定期的な検査においては、同一部位から毛髪又は体毛を採取するのが好ましい。
【００１５】
本発明においては、カルシウムのみならず、他の微量元素の検出も、体調を診断するうえで重要な指標となる。例えば、肝臓ガンにおかされると、健康な肝臓組織に含有されている亜鉛が減少し、かわって銅の濃度が増大する。このような肝臓組織における変化にともない、血液中の亜鉛も減少し、銅の濃度が高くなるが、これは、肝機能の低下により銅の排泄が十分にできなくなるためと推定される。一方、毛髪においても銅の濃度が高くなるため、銅と亜鉛のそれぞれの含有比率を健常人の含有比率と対比することで、あるいは銅と亜鉛のそれぞれの含有比率の定期的な変化を追跡することで、肝臓ガンの発症を検知することができる。また、前立腺ガンでも、肝臓ガンの場合と同様に、前立腺の亜鉛が消滅することが最近の研究で明らかになっており、前立腺ガンの発症を毛根分析により検知できる可能性もある。
【００１６】
このように、本発明ではこれらの毛根分析を用いることにより、体調を診断するための診断用データの収集が可能となる。収集されたデータは個体の健康診断における基礎データとして利用される。このように、本発明による元素の検出方法は体調の診断用データの収集において有用である。従って、本発明の他の態様として、毛髪又は体毛の毛根を蛍光Ｘ線分析に供して毛根中の元素を検出することを特徴とする、診断用データの収集のための元素の検出方法が提供される。また、毛髪又は体毛の毛根を蛍光Ｘ線分析に供して毛根中の元素を検出することにより、さらに精密検査等の検査を要するか否かの判断指標を与える方法が提供される。また、毛髪又は体毛の毛根を蛍光Ｘ線分析に供して毛根中の元素を検出することにより、体調の異変の検出方法が提供される。
【００１７】
このように、本発明では、被検者は定期的に毛根付きの毛髪又は体毛を１本提供するだけで、検査を受けることができる。そして、毛根から検出された元素とそれらの含有比率をもとに、体調の異変を簡便に診断することができ、種々の病気の予防や早期発見が可能となる。
【００１８】
【実施例】
以下の実施例により、本発明をさらに詳細に説明するが、本発明はかかる実施例により何ら限定されるものではない。
【００１９】
実施例１
成人男性から毛髪１本を抜き取り、毛根から１ｍｍにカットした。カットした毛根に含有されている元素及びそれらの含有比率を、蛍光Ｘ線分析により測定しした。具体的には、放射光Ｘ線からモノクロメーターで２０ｋｅＶのＸ線を選択し、これを毛根に照射した。発生した蛍光Ｘ線を半導体検出器（ＳＳＤ）で検出し、多チャンネル波高分析器により蛍光Ｘ線のエネルギー（波長）を分解し、その強度を測定した。１００分間の測定により得られた分析結果を図１に示す。なお、放射光は一般に水平面内の直線偏光になっており、その偏光面上で入射方向と直角に放出される蛍光Ｘ線を測定することにより、Ｓ／Ｎ比を改善している。
【００２０】
同様の方法により、健康な女性と乳ガンの患者について、それぞれ約３０名の毛根の元素を検出し、診断用データを収集した結果、毛根１ｇ当たりのカルシウムの含有量が、健康な女性では０．３ｍｇから６ｍｇの範囲に分布していたのに対して、乳ガンの患者では１ｍｇから３０ｍｇの範囲に分布していた。いずれの場合も個人差のために分布が大きく広がっているが、全体として乳ガンの発症により、毛根のカルシウム量は約５倍に増加する傾向があると考えられる。従って、カルシウムの含有量には大きな個人差があるため、同一個体について定期的に元素を検出してカルシウム量の増加を監視することにより、乳ガンの早期発見が可能となる。
【００２１】
【発明の効果】
本発明により、カルシウムパラドックスを始めとする様々な体調の異変を簡便に診断することができる。それにより、カルシウムパラドックスを原因とする、骨粗鬆症、動脈硬化、糖尿病、大腸ガン等の悪性腫瘍、痴呆症等の生活習慣病や、他の微量元素の含有比率の変化に基づく肝臓ガン、前立腺ガン等の予防や早期発見が可能となる。特に、ガンの発生は、ガンの一般検診や人間ドッグでも見落とされることがあり、重複した監視の容易な毛根診断は広く普及するものと期待される。また、カルシウムの含有比率の変化で日常の食生活を考え直すことも重要である。
【図面の簡単な説明】
【図１】図１は、実施例１において、試料として用いた毛髪の毛根の蛍光Ｘ線分析結果を示すチャートである。
【図１】
2004045133.tif 000002